(57)【要約】【課題】普通乗車券のような短期使用券を非接触式情報記録媒体（トークン）としたときの回収を容易にする。【解決手段】非接触式情報記録媒体を投入する自動改札機の本体に設けられた投入口と、その投入口に投入された前記非接触式情報記録媒体に記録されているデータを基に出場用の所定の演算処理を行い、その所定の演算処理の終了したその非接触式情報記録媒体を前記自動改札機の本体内に回収する回収手段と、前記所定の演算処理の結果、出場を許可できると判定されたときにドアを開とし、その所定の演算処理の結果、出場を許可できないと判定されたときにドアを閉とするドア駆動手段と、前記所定の演算処理の結果、出場を許可できないときに所定のデータを記録した情報記録媒体を生成して前記自動改札機の本体に設けられている取出口に排出する排出手段とを有する。【選択図】      図１
2004310323.tif 000002
【特許請求の範囲】
【請求項１】
非接触式情報記録媒体を投入する自動改札機の本体に設けられた投入口と、
前記投入口に投入された前記非接触式情報記録媒体に記録されているデータを基に出場用の所定の演算処理を行い、その所定の演算処理の終了したその非接触式情報記録媒体を前記自動改札機の本体内に回収する回収手段と、
前記所定の演算処理の結果、出場を許可できると判定されたときにドアを開とし、その所定の演算処理の結果、出場を許可できないと判定されたときにドアを閉とするドア駆動手段と、
前記所定の演算処理の結果、出場を許可できないときに所定のデータを記録した情報記録媒体を生成して前記自動改札機の本体に設けられている取出口に排出する排出手段と、
を有することを特徴とする自動改札機。
【請求項２】
請求項１に記載の自動改札機において、取出口に排出する情報記録媒体は、投入口に投入された非接触式情報記録媒体と同一形式のものであることを特徴とする自動改札機。
【請求項３】
請求項１又は２に記載の自動改札機において、投入口に投入された非接触式情報記録媒体は、重力を利用して回収されるものであることを特徴とする自動改札機。
【請求項４】
請求項１〜３のいずれかに記載の自動改札機において、投入口に投入された非接触式情報記録媒体は、所定の演算処理が終了するまで移動が停止されるものであることを特徴とする自動改札機。
【請求項５】
請求項１〜４のいずれかに記載の自動改札機において、非接触式情報記録媒体は、非接触式トークンであることを特徴とする自動改札機。
【発明の詳細な説明】
【０００１】
【発明の属する技術分野】
本発明は自動改札機に係り、特に、非接触券あるいは非接触式トークンのような非接触式情報記録媒体を用いて出場処理することのできるものに関する。
【０００２】
【従来の技術】
近年、定期券やＳＦカード（ストアードフェアカード）を無線通信機能を備えたＩＣカードからなる非接触式情報記録媒体の非接触券とし、この非接触券を自動改札機の本体に設けられたアンテナに軽くタッチして、又はそのアンテナにかざして（以下、タッチで説明する。）入出場（入場又は出場を意味している。）を行う自動改札機が運用されている。
【０００３】
また、上記非接触券は、ＩＣカードからなるので、磁気券と比べて製造コストが高いので、普通乗車券や一日乗車券のような短期使用券をコイン状を呈した非接触式トークンとし、この非接触式トークンを繰返し使用できるようにすることも提案されている（特許文献１参照。）。
【０００４】
【特許文献１】特開２００３−３３４３６０号公報
【０００５】
【発明が解決しようとする課題】
しかしながら、短期使用券を非接触式トークンとして繰返し使用可能とした場合の出場の際、その非接触式トークンは自動改札機の本体内に回収されるけれども、その出場の際、自動改札機の本体の投入口に投入された非接触式トークンが無効で出場を許可できないときは、投入された非接触式トークンを利用者（旅客）に返却しなければならない。しかし、この返却には、自動改札機の本体内にエレベータ機構を設けて投入された非接触式トークンを自動改札機の本体の筐体上面部まで搬送して返却する必要があり、その返却機構が複雑になる欠点があった。
【０００６】
そこで、本発明は、上記欠点を解決するためになされたものであって、その目的は、短期使用券の非接触式情報記録媒体の返却に関する問題を解決することのできる自動改札機を提供することにある。
【０００７】
【課題を解決するための手段】
本発明に係る自動改札機は、上記目的を達成するために、請求項１に記載の発明は、非接触式情報記録媒体を投入する自動改札機の本体に設けられた投入口と、その投入口に投入された前記非接触式情報記録媒体に記録されているデータを基に出場用の所定の演算処理を行い、その所定の演算処理の終了したその非接触式情報記録媒体を前記自動改札機の本体内に回収する回収手段と、前記所定の演算処理の結果、出場を許可できると判定されたときにドアを開とし、その所定の演算処理の結果、出場を許可できないと判定されたときにドアを閉とするドア駆動手段と、前記所定の演算処理の結果、出場を許可できないときに所定のデータを記録した情報記録媒体を生成して前記自動改札機の本体に設けられている取出口に排出する排出手段と、を有することを特徴としている。
本発明の請求項２に記載の自動改札機は、取出口に排出する情報記録媒体は、投入口に投入された非接触式情報記録媒体と同一形式のものであることを特徴としている。
本発明の請求項３に記載の自動改札機は、投入口に投入された非接触式情報記録媒体は、重力を利用して回収されるものであることを特徴としている。
本発明の請求項４に記載の自動改札機は、投入口に投入された非接触式情報記録媒体は、所定の演算処理が終了するまで移動が停止されるものであることを特徴としている。
本発明の請求項５に記載の自動改札機は、非接触式情報記録媒体は、非接触式トークンであることを特徴としている。
【０００８】
【発明の実施の形態】
以下、本発明の実施の形態を図面に基づいて説明する。図１は、一実施の形態に係る自動改札機の一部を断面で示した正面図である。この図１に示される自動改札機の本体（以下、「改札機本体」という。）Ｇの改札通路の入口側（図１において右側）の上部には、非接触式情報記録媒体としての非接触式トークン（以下、「トークン」という。）Ｔを投入するための投入口１が設けられている。
【０００９】
図１中、２は、改札機本体Ｇの上面のほぼ中央に設けられた取出口であり、この取出口２には、後述する発行機構により生成された本発明の情報記録媒体に当る、投入口１に投入されたトークンと同じ形式のトークンが排出されるように構成されている。また、図１中、３は、上記取出口２の近くで、かつ、改札通路の出口側寄りに設けられた表示画面であり、Ｄは、改札通路を開閉するためのドアである。
【００１０】
上記投入口１の改札機本体Ｇの内側には、投入口１に投入されたトークンＴが重力で回収箱Ｂまで落下することのできるシュータ１′が設けられていて、そのシュータ１′の途中には、図示しないソレノイドで駆動されるシャッタＳが設けられている。また、そのシュータ１′の途中には、シャッタＳがシュータ１′を閉じているときに受止めたトークンＴと交信するためのアンテナａが設けられている。
【００１１】
図１中、１０は、改札機本体Ｇ内に設けられた発行機構である。この発行機構は、図２（ａ）に示されるように、多数のトークンＴ，Ｔ…を収納しておくことのできるマガジン１１と、そのマガジン１１から１枚のトークンＴを取出口２側に排出する押出部１２と、その押出部１２で押出されたトークンＴに所定のデータを書込むためのアンテナａ′とから構成されている。
【００１２】
図１中、Ｃは、改札機本体Ｇを統括的に制御する制御器であって、その制御器Ｃは、図２に示されるように、ＲＯＭ２０に格納されているシステムプログラムデータ及びＲＡＭ２１に格納されているワーキングデータを用いて所定の演算処理（出場用の演算処理）を行う中央処理部（ＣＰＵ）２２を有している。このＣＰＵ２２は、Ｉ／Ｏユニット２３を介して後述するアンテナａ，ａ′を用いてトークンＴに記録（記憶）されているデータ（トークンデータ）を読取るとともに、そのトークンＴに所定のデータ（出場データ）を書込むことのできるリーダライタ２４と、発券機構１０を駆動制御する発券制御部２５と、ドアＤを駆動制御するドア制御部２６と、シャッタＳを駆動制御するソレノイドドライバ２７とが接続されている。なお、Ｉ／Ｏユニット２３には、表示画面３を駆動制御する表示画面制御部や改札通路内の利用者を検知する人間検知器ユニット等も接続されているが、ここでは省略されている。
【００１３】
なお、この図１に示される改札機本体Ｇは、出場用とされているので、改札機本体Ｇの改札通路入口側上面には、トークンや非接触券と交信するためのアンテナが設けられていないが、この改札機本体Ｇが入場用にも用いられるときは、そのアンテナも設けられる。また、この改札機本体Ｇが磁気券からなる乗車券も処理できる兼用型のときは、改札機本体Ｇには乗車券の投入口及び取出口が設けられるとともに、その改札機本体Ｇの内部には、磁気ヘッド等を備えたカードハンドラが組込まれる。
【００１４】
トークンＴは、図示しないが周知の非接触券と同様に構成されている。すなわち、トークンＴは、改札機本体Ｇ側と交信するためのアンテナを有する通信制御部と、所定の演算処理を行うＣＰＵと、所定のデータ（トークンデータ）を記憶するためのメモリと、改札機本体Ｇからの電力波を受信してトークンＴの駆動電力を生成する電力生成回路とを含んで構成されている。
【００１５】
以下、図３のフローチャートを用いて制御動作について説明する。今、利用者がトークンＴを用いて出場しようとしているものとする。そして、その利用者によりトークンＴが投入口１に投入されると（ステップ１００肯定。以下、ステップを「Ｓ」とする。）、その投入されたトークンＴは、閉じられているシャッタＳに受止められ、その間にアンテナａを介してトークンＴのメモリに記録されているデータが読取られ、その読取られたデータ（トークンデータ）を基にＣＰＵ２２による出場用の演算処理が行われる（Ｓ１０２）。この演算処理終了後、シャッタＳが開いて投入されたトークンＴは回収箱Ｂに回収される（Ｓ１０６）。
【００１６】
上述のＣＰＵ２２の出場用の演算処理の結果、出場を許可できると判定されたときは（Ｓ１０８）肯定）、トークンＴに対して新たな出場データが書込まれて回収される。なお、この書込み終了までが上述の演算処理の中に含まれる。このように出場を許可できると判定されたときは、ドアＤが開かれて（改札機本体Ｇがノーマルオープン型のときはそのまま）、利用者の出場が許可される。
【００１７】
他方、上述の出場用の演算処理の結果、出場を許可できないと判定されたときは（Ｓ１０８否定）、ドアＤが閉じられて利用者の改札通路の通過が阻止されるとともに、発行機構１０が駆動されて取出口２にアンテナａ′を用いて所定のデータ、すなわち、アンテナａを用いて読取られたと同じデータが書込まれたトークンＴが排出される（Ｓ１１２）。そして、表示画面３には、その排出されたトークンＴを用いて精算処理を行うように等の所定の案内が行われる。この案内は、スピーカを介して行うこともできる。上述の発行機構１０から発行されるトークンＴには、トークンＴから読取られたトークンデータが記録されるので、利用者は、そのトークンＴを用いて精算処理等の後処理を円滑に行うことができる。また、このときの回収されるトークンＴには、出場を拒否して投入された媒体（トークン）の代わりに新たなトークンを発行した旨の所定のデータが書込まれる。
【００１８】
なお、上述の例では、非接触式情報記録媒体をトークンとしたが、これを非接触券とすることもできる。この場合、発行機構１０′は、図２（ｂ）に示されるように、多数の非接触券イ，イ…を収納しておくことのできるカードスタッカ１３と、そのカードスタッカ１３から１枚の非接触券イを取出口２側に繰出して排出する繰出ローラ１４と、その繰出ローラ１４で繰出された非接触券イに所定のデータを書込むためのアンテナａ′とから構成される。
【００１９】
また、投入口１に投入される媒体がトークンＴであっても取出口２に排出される媒体を非接触券イとすることもでき、あるいは、投入口１に投入される媒体が非接触券イであっても取出口２に排出される媒体をトークンＴとすることもできる。さらには、投入口１に投入される媒体がトークンＴ又は非接触券イのいずれであっても、取出口２に排出される媒体を磁気券とすることも可能である。この場合の発行機構１０″は、図２（ｃ）に示されるように、ロール紙Ｒが繰出ローラ１５で取出口２に排出される途中、カッタ１６で所定長さに切断されるとともに、その切断された用紙に磁気ヘッドＨを介して所定のデータが記録されて普通券タイプの磁気券が生成される。
【００２０】
【発明の効果】
本発明の請求項１に記載の自動改札機は、非接触式情報記録媒体を投入する改札機本体に設けられた投入口と、その投入口に投入された前記非接触式情報記録媒体に記録されているデータを基に出場用の所定の演算処理を行い、その所定の演算処理の終了したその非接触式情報記録媒体を前記改札機本体内に回収する回収手段と、前記所定の演算処理の結果、出場を許可できると判定されたときにドアを開とし、その所定の演算処理の結果、出場を許可できないと判定されたときにドアを閉とするドア駆動手段と、前記所定の演算処理の結果、出場を許可できないときに所定のデータを記録した情報記録媒体を生成して前記改札機本体に設けられている取出口に排出する排出手段とを有するので、出場が拒否されたときの投入された非接触式情報記録媒体の返却を容易に行うことができる。
本発明の請求項２に記載の自動改札機は、取出口に排出する情報記録媒体は、投入口に投入された非接触式情報記録媒体と同一形式のものであるので、返却媒体を容易に生成することができる。
本発明の請求項３に記載の自動改札機は、投入口に投入された非接触式情報記録媒体は、重力を利用して回収されるので、投入された非接触式情報記録媒体を容易に回収することができる。
本発明の請求項４に記載の自動改札機は、投入口に投入された非接触式情報記録媒体は、所定の演算処理が終了するまで移動が停止されるので、交信を良好に行うことができる。
本発明の請求項５に記載の自動改札機は、非接触式情報記録媒体をトークンとしたので、容易に実施することができる。
【図面の簡単な説明】
【図１】本発明の一実施の形態に係る自動改札機の正面図である。
【図２】発行機構の詳細図である。
【図３】制御器のブロック図である。
【図４】制御動作を示すフローチャートである。
【符号の説明】
Ｇ  自動改札機の本体
１  投入口
１′  シュータ
２  取出口
３  表示画面
ａ  アンテナ
Ｓ  シャッタ
Ｂ  回収箱
Ｄ  ドア
１０，１０′，１０″  発行機構
Ｃ  制御器
【図１】
2004310323.tif 000003
【図２】
2004310323.tif 000004
【図３】
2004310323.tif 000005
【図４】
2004310323.tif 000006